(57)【特許請求の範囲】
【請求項１】
コーン標識の先端部に嵌めることができる環状部と、
長尺状の仕切り材の端部近傍を取り付けることができる仕切り材取り付け部とを備え、
上記環状部と仕切り材取り付け部が、互いに表裏の関係となる第１の面と第２の面を有するように一体化され、
上記仕切り材取り付け部には、コ字状の切れ込みと、上記切れ込みに囲まれた舌片部とが形成されている
ことを特徴とするコーン標識用の仕切り材取り付け具。
【請求項２】
上記環状部には、その環状の一部分が切り離された切り離し部が設けられている
請求項１記載のコーン標識用の仕切り材取り付け具。
【請求項３】
上記切れ込みに囲われた舌片部の遊端側には、周囲の枠状部との間にスリットが形成されている
請求項１または２記載のコーン標識用の仕切り材取り付け具。
【請求項４】
上記環状部は、円錐状のコーン標識の先端部を差し込む開口を有し、上記開口の内周縁は、円錐状のコーン標識の外側斜面に沿う傾斜面に形成されている
請求項１〜３のいずれか一項に記載のコーン標識用の仕切り材取り付け具。
【発明の詳細な説明】
【技術分野】
【０００１】
本発明は、コーン標識の先端付近においてテープなどの仕切り材を取り付けることができるコーン標識用の仕切り材取り付け具に関するものである。
【背景技術】
【０００２】
工事中の道路などで交通制限などを示すために円錐形のコーン標識が用いられる。上記コーン標識は、現場では一般に、「パイロン」「カラーコーン（登録商標）」などと呼ばれて用いられることが多い。このようなコーン標識は、単に並べるだけでなく、進入禁止や誘導を目的として、コーン標識同士の間にコーンバーと呼ばれる仕切り材を渡して用いることがある。コーン標識同士の間にコーンバー等の仕切り材を渡すためには、コーン標識の先端部に、コーンバーを渡すための取り付け具が用いられる。
【０００３】
上記取り付け具に関する先行技術文献として、本出願人は、下記の特許文献１〜３を把握している。
【０００４】
上記特許文献１は、チェーンロープ用吊輪に関するものである。［図１］に、一般的なコーンバーの取り付け具が開示されている。このコーンバーの取り付け具は、コーン標識の先端部に嵌めるリング部１に、バーを差し込む筒部２が縦に取り付けられている。
上記特許文献１には、［図２］〜［図１０］に、リング部１に対して筒部２を横向けに取り付けることが開示されている。上記筒部２には、仕切り材としてバー以外にチェーンやロープを通して用いることが開示されている。
【０００５】
上記特許文献２は、コーン同士の間に仕切り材としてテープを渡す、コーン用のテープ取り付け具に関するものである。［請求項１］にはつぎの記載がある。「コーンに設けられた係止可能なリング状からなる係止部と、前記係止部に設けられた互いに密着隣接する三本以上の柱状体と、前記柱状体の面と面でテープを挟持することを特徴とするコーン用のテープ取付け具。」
【０００６】
上記特許文献３は、コーン同士の間に仕切り材としてテープを渡す、コーン用のテープ取り付け具に関するものである。［請求項１］にはつぎの記載がある。「コーンに設けられた係止可能なリング状からなる係止部と、ほぼ垂直に前記係止部に設けられた、テープを挟持するための二本の柱が密着隣接する柱状体からなり、前記柱状体は半径方向内外に設け、内側の柱を中心寄りに傾動し、前記係止部と前記柱状体は一体成型の弾性部材からなることを特徴とするコーン用のテープ取付け具。」
【先行技術文献】
【特許文献】
【０００７】
【特許文献１】実用新案登録第３０３９４９４号公報
【特許文献２】特許第５１９９５０５号公報
【特許文献３】特許第５２５５１５１号公報
【発明の開示】
【発明が解決しようとする課題】
【０００８】
上記特許文献１の吊輪は、コーン標識の先端部に嵌めるリング部１に、バー・ロープ・チェーンを差し込む筒部２が取り付けられて構成されている。ロープやチェーンによる仕切りを設営するときには、長尺のロープやチェーンを複数の筒部２に順番に通過させていく必要がある。また、ロープやチェーンによる仕切りを撤去するときには、ロープやチェーンを複数の筒部２から順番に引き抜く必要がある。このように、仕切りの設営や撤去のときに、ロープやチェーンを複数の筒部２に順番に通したり引き抜いたりする必要がある。この作業に結構な手間と時間がかかる問題がある。また、コーン標識の先端部から外した吊輪は、つぎに使うまでダンボールなどにまとめてほうり込んでおくしかなく、収容の際に嵩張るのが問題である。
【０００９】
また、上記特許文献２および特許文献３のコーン用のテープ取付け具では、コーン同士の間に渡す仕切り材として使えるのはテープのみであり、ロープやチェーンを使うことができない。また、仕切りを設営するときには、長尺のテープを複数の柱状体に順番に通過させていく必要がある。また、仕切りを撤去するときには、テープを複数の柱状体から順番に引き抜く必要がある。このように、仕切りの設営や撤去のときに、テープを複数の柱状体に順番に通したり引き抜いたりする必要がある。この作業に結構な手間と時間がかかる問題がある。また、コーン標識の先端部から外した取付け具は、つぎに使うまでダンボールなどにまとめてほうり込んでおくしかなく、収容の際に嵩張るのが問題である。
【００１０】
本発明は、上記のような事情に鑑み、つぎの目的を持ってなされた。
設営や撤去が簡単で、収容するときに嵩張らないコーン標識用の仕切り材取り付け具を提供する。
【課題を解決するための手段】
【００１１】
上記目的を達成するため、請求項１記載のコーン標識用の仕切り材取り付け具は、下記の構成を採用した。
コーン標識の先端部に嵌めることができる環状部と、
長尺状の仕切り材の端部近傍を取り付けることができる仕切り材取り付け部とを備え、
上記環状部と仕切り材取り付け部が、互いに表裏の関係となる第１の面と第２の面を有するように一体化され、
上記仕切り材取り付け部には、コ字状の切れ込みと、上記切れ込みに囲まれた舌片部とが形成されている。
【００１２】
請求項２記載の仕切り材取り付け具は、請求項１記載の構成に加え、下記の構成を採用した。上記環状部には、その環状の一部分が切り離された切り離し部が設けられている。
請求項３記載の仕切り材取り付け具は、請求項１または２記載の構成に加え、下記の構成を採用した。上記切れ込みに囲われた舌片部の遊端側には、周囲の枠状部との間にスリットが形成されている。
請求項４記載の仕切り材取り付け具は、請求項１〜３のいずれか一項に記載の構成に加え、下記の構成を採用した。上記環状部は、円錐状のコーン標識の先端部を差し込む開口を有し、上記開口の内周縁は、円錐状のコーン標識の外側斜面に沿う傾斜面に形成されている。
【発明の効果】
【００１３】
すなわち、請求項１記載のコーン標識用の仕切り材取り付け具は、コーン標識の先端部に嵌めることができる環状部と、長尺状の仕切り材の端部近傍を取り付けることができる仕切り材取り付け部とを備えている。コーン標識同士の間に渡す長尺の仕切り材として、例えばテープやロープやチェーンなど各種のものを使うことができる。また、仕切りを設営するときには、上記仕切り材取り付け部に仕切り材の端部近傍を取り付け、環状部をコーン標識の先端に嵌めればよい。仕切りを撤去するときには、仕切り材取り付け部から仕切り材の端部近傍を取り外せばすむ。つまり、コーン標識同士の間隔と同程度の長さの仕切り材を準備し、両方の端部近傍を仕切り材取り付け部に取り付け、環状部をコーン標識の先端部に取り付ければすむ。このように、仕切りの設営や撤去の作業が簡略化され時間と手間が削減できる。
また、請求項１記載のコーン標識用の仕切り材取り付け具は、上記環状部と仕切り材取り付け部が、互いに表裏の関係となる第１の面と第２の面を有するように一体化されている。このため、コーン標識の先端部から外した仕切り材取り付け具は、第１の面と第２の面が互いに合わさるように重ね合わせてスタッキングすればよいため、収容の際に嵩張らない。
また、請求項１記載のコーン標識用の仕切り材取り付け具は、上記仕切り材取り付け部に、コ字状の切れ込みと、上記切れ込みに囲まれた舌片部とが形成されている。これにより、切れ込みに囲まれた舌片部とその周囲の枠状部の少なくともいずれかを撓ませて隙間をつくり、その間に仕切り材をはさむことができるようになっている。
【００１４】
請求項２記載のコーン標識用の仕切り材取り付け具は、上記環状部には、その環状の一部分が切り離された切り離し部が設けられている。このため、上記環状部は、コーン標識の先端部に嵌めるだけでなく、切り離し部を利用して手すりや柵や立ち木など、各種の箇所に取り付け、それらを起点にした仕切りを設営することができる。
請求項３記載のコーン標識用の仕切り材取り付け具は、上記切れ込みに囲われた舌片部の遊端側には、周囲の枠状部との間にスリットが形成されている。これにより、舌片部９や枠状部１０を撓ませるときに、指を掛けやすくしている。
請求項４記載のコーン標識用の仕切り材取り付け具は、上記環状部は、円錐状のコーン標識の先端部を差し込む開口を有し、上記開口の内周縁は、円錐状のコーン標識の外側斜面に沿う傾斜面に形成されている。これにより、環状部の開口にコーン標識の先端部を差し込むようにして、コーン標識の先端部に環状部を嵌めるとき、開口部の内側に設けられた傾斜面が、円錐状のコーン標識の外周面に沿うよう、仕切り材取り付け具の取り付け方向を設定する。コーン標識の外周面に傾斜面が沿うことにより、取り付け状態が安定する。この状態で、仕切り材取り付け部が、コーン標識の先端部において横方向に延びるよう位置決めされる。
【図面の簡単な説明】
【００１５】
【図１−１】第１実施形態のコーン標識用の仕切り材取り付け具を示す図である。
【図１−２】上記第１実施形態のコーン標識用の仕切り材取り付け具を示す図である。
【図２】上記第１実施形態の使用状態の一例を示す断面図である。
【図３−１】第２実施形態のコーン標識用の仕切り材取り付け具を示す図である。
【図３−２】上記第２実施形態のコーン標識用の仕切り材取り付け具を示す図である。
【発明を実施するための形態】
【００１６】
つぎに、本発明を実施するための形態を説明する。
【００１７】
〔第１実施形態〕
図１−１および図１−２は、本発明のコーン標識用の仕切り材取り付け具の第１実施の形態を示す図である。（Ａ）は正面図、（Ｂ）は平面図、（Ｃ）は左側面図、（Ｄ）は右側面図、（Ｅ）は背面図、（Ｆ）は底面図、（Ｇ）はＧ−Ｇ断面図、（Ｈ）はＨ−Ｈ断面図である。
図２は、上記第１実施形態のコーン標識用の仕切り材取り付け具の使用状態の一例を示す図である。
【００１８】
本実施形態の仕切り材取り付け具は、円錐状のコーン標識の先端部に、環状部を取り付け、テープ・ロープ・チェーンなどの長尺の仕切り材の端部近傍を、四角形の仕切り材取付け部に挟み込むことにより、複数のコーン標識の間に仕切り材を渡し、仕切りを設営するものである。
【００１９】
〔全体構造〕
このコーン標識用の仕切り材取り付け具は、コーン標識３の先端部に嵌めることができる環状部１と、長尺状の仕切り材５の端部近傍を取り付けることができる仕切り材取り付け部２とを備えている。全体としてある程度可撓性のある樹脂から形成されている。
【００２０】
上記環状部１は、円錐状のコーン標識３の先端部を差し込む開口４を有している。上記開口４の内周縁は、円錐状のコーン標識３の外側斜面に沿う傾斜面４Ａに形成されている。上記環状部１は、上記開口４を囲む環状を呈する部分が、均一な厚みで均一な幅を呈した帯板状に形成されている。
【００２１】
上記仕切り材取り付け部２は、長方形を呈しており、均一な厚みを呈した板状に形成されている。
【００２２】
上記環状部１と仕切り材取り付け部２は、互いに表裏の関係となる第１の面と第２の面を有するように一体化されている。つまり、仕切り材取り付け部２の短辺にあたる部分と、環状部１の外周にあたる部分が接合され、全体として同じ厚みのプレート状を呈するように一体化されている。プレート状の表面と裏面が、上述した第１の面と第２の面にあたる。環状部１と仕切り材取り付け部２のあいだには、くびれ部７が形成されている。
【００２３】
上記仕切り材取り付け部２には、コ字状の切れ込み６が形成されている。上記切れ込み６は、コ字状の開放部が開口４に向かうように配置されている。この切れ込み６があることにより、切れ込み６に囲まれた舌片部９とその周囲の枠状部１０の少なくともいずれかを撓ませて隙間をつくり、その間に仕切り材５をはさむことができるようになっている。
【００２４】
上記切れ込み６におけるコ字状の開放端には、小穴８が穿設され、切れ込み６を起点に仕切り材取り付け部２が裂けて破損するのを防止している。上記切れ込み６に囲われた舌片部９の遊端側には、枠状部１０との間にスリット１１が形成されている。これにより、舌片部９や枠状部１０を撓ませるときに、指を掛けやすくしている。
【００２５】
〔設営と撤去〕
上記仕切り材取り付け具を使用して仕切りを設営するときは、仕切り材取り付け具と、それを取り付けるコーン標識３と、２つのコーン標識３の間に渡す仕切り材５を準備する。上記仕切り材５としては、例えば、テープ・ロープ・チェーンなどを用いることができる。
【００２６】
まず、環状部１の開口４にコーン標識３の先端部を差し込むようにして、コーン標識３の先端部に環状部１を嵌める。このとき、開口部４の内側に設けられた傾斜面４Ａが、円錐状のコーン標識３の外周面に沿うよう、仕切り材取り付け具の取り付け方向を設定する。コーン標識３の外周面に傾斜面４Ａが沿うことにより、取り付け状態が安定する。この状態で、仕切り材取り付け部２が、コーン標識３の先端部において横方向に延びるよう位置決めされる。
【００２７】
つぎに、仕切り材取り付け部２の舌片部９と枠状部１０のいずれかまたは両方を撓ませて両者の間に隙間をつくり、その隙間に仕切り材５の一方の端部近傍を挟み込む。この仕切り材５の他方の端部近傍を、もう一つのコーン標識３の先端部に取り付けた仕切り材取り付け具の仕切り材取り付け部２に、同様にして挟み込む。この状態で２つのコーン標識３の距離を隔てて仕切り材５をピンと張れば、仕切りの設営ができる。
【００２８】
２つのコーン標識３を適当な距離に隔てたときに、仕切り材５がゆるくて垂下がるようなら、仕切り材５を仕切り材取り付け部２に挟み込む位置を変更し、仕切り材５をピンと張ればよい。
【００２９】
３つ以上のコーン標識３を並べて仕切り材５を張り巡らせるときは、１つのコーン標識に２つの仕切り材取り付け具を取り付けて、それぞれの仕切り材取り付け部２に仕切り材５の端部を挟み込んでつないでいくことができる。あるいは、コーン標識３に取り付けた１つの仕切り材取り付け具の仕切り材取り付け部２に、仕切り材５の途中部分を挟み込んでつないでいくこともできる。
【００３０】
仕切りを撤去するときは、仕切り材取り付け部２に挟み込んだ仕切り材５を取外し、仕切り材取り付け具をコーン標識３の先端部から取り外せばよい。取り外した仕切り材取り付け具は、環状部１と仕切り材取り付け部２の方向を揃え、表裏を対面させるように重ねることで、コンパクトに収容することができる。環状部１の開口４を適当な外径のパイプに順次とおして重ねてもよい。そうすることで、重ねた仕切り材取り付け具が簡単に散らばらなくなる。仕切り材５は適当なリールなどに巻きとり、コーン標識３はスタッキングすればよい。
【００３１】
〔実施形態の作用効果〕
以上のように、上記第１実施形態のコーン標識用の仕切り材取り付け具は、コーン標識３の先端部に嵌めることができる環状部１と、長尺状の仕切り材５の端部近傍を取り付けることができる仕切り材取り付け部２とを備えている。コーン標識３同士の間に渡す長尺の仕切り材５として、例えばテープやロープやチェーンなど各種のものを使うことができる。また、仕切りを設営するときには、上記仕切り材取り付け部２に仕切り材５の端部近傍を取り付け、環状部１をコーン標識３の先端に嵌めればよい。仕切りを撤去するときには、仕切り材取り付け部２から仕切り材５の端部近傍を取り外せばすむ。つまり、コーン標識３同士の間隔と同程度の長さの仕切り材５を準備し、両方の端部近傍を仕切り材取り付け部２に取り付け、環状部１をコーン標識３の先端部に取り付ければすむ。このように、仕切りの設営や撤去の作業が簡略化され時間と手間が削減できる。
また、上記第１実施形態のコーン標識用の仕切り材取り付け具は、上記環状部１と仕切り材取り付け部２が、互いに表裏の関係となる第１の面と第２の面を有するように一体化されている。このため、コーン標識３の先端部から外した仕切り材取り付け具は、第１の面と第２の面が互いに合わさるように重ね合わせてスタッキングすればよいため、収容の際に嵩張らない。
【００３２】
〔第２実施形態〕
図３−１および図３−２は、第２実施形態を示す。
【００３３】
第２実施形態は、上記環状部１には、その環状の一部分が切り離された切り離し部１２が設けられている。この例では、上記切り離し部１２は、嵌合凸１３と嵌合凹１４が形成されて連結するようになっている。それ以外は、上記第１実施形態と同様であり、同様の部分には同じ符号を付して説明を省略している。
【００３４】
この例では、上記切り離し部１２の連結を外し、環状部１を、手すり・柵・立ち木・庭石など、各種の箇所に取り付けることができる。それらの手すり・柵・立ち木・庭石などを起点にして仕切り材５を張り巡らせることが可能になる。
【００３５】
第２実施形態のコーン標識用の仕切り材取り付け具は、上記環状部１に、その環状の一部分が切り離された切り離し部１２が設けられている。このため、上記環状部１は、コーン標識３の先端部に嵌めるだけでなく、切り離し部１２を利用して手すりや柵や立ち木など、各種の箇所に取り付け、それらを起点にした仕切りを設営することができる。
それ以外は、上記第１実施形態と同様の作用効果を奏する。
【００３６】
〔変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【００３７】
１：環状部
２：仕切り材取り付け部
３：コーン標識
４：開口
４Ａ：傾斜面
５：仕切り材
６：切れ込み
７：くびれ部
８：小穴
９：舌片部
１０：枠状部
１１：スリット
１２：切り離し部
１３：嵌合凸
１４：嵌合凹
【要約】      （修正有）【課題】設営や撤去が簡単で、収容するときに嵩張らないコーン標識用の仕切り材取り付け具を提供する。【解決手段】コーン標識の先端部に嵌めることができる環状部１と、長尺状の仕切り材の端部近傍を取り付けることができる仕切り材取り付け部２とを備え、上記環状部１と仕切り材取り付け部２が、互いに表裏の関係となる第１の面と第２の面を有するように一体化されている。これにより、コーン標識用の仕切り材取り付け具は、コーン標識同士の間に渡す長尺の仕切り材として、例えばテープやロープやチェーンなど各種のものを使うことができる。また、仕切りの設営や撤去の作業が簡略化され時間と手間が削減できる。さらに、第１の面と第２の面が互いに合わさるように重ね合わせてスタッキングすればよいため、収容の際に嵩張らない。【選択図】図１−１【図１−１】
0006014204.tif 000002
【図１−２】
0006014204.tif 000003
【図２】
0006014204.tif 000004
【図３−１】
0006014204.tif 000005
【図３−２】
0006014204.tif 000006